(57)【要約】  【課題】装置の一方の面より記録媒体を給送し、記録済の記録媒体を前記一方の面より排出する記録装置において、使用しないときの装置サイズを使用しているときの装置サイズより小さくすることができ、かつ、給紙トレイ及び排紙トレイを回転収納式にする場合より装置の奥行きサイズを小さくすることができる記録装置を提供する。  【解決手段】  使用状態と収納状態との間を回動して移動するとともに、記録媒体４を積載する給紙トレイ１１と、使用状態と収納状態との間を記録媒体の排出方向に移動するとともに、記録済の記録媒体を積載する排紙トレイ１４、１５と、を備えた記録装置。【選択図】                図６
2005350249.tif 000002
【特許請求の範囲】
【請求項１】
装置の一方の面より記録媒体を給送し、記録済の記録媒体を前記一方の面より排出する記録装置において、
使用状態と収納状態との間を回動して移動するとともに、記録媒体を積載する給紙トレイと、
使用状態と収納状態との間を記録媒体の排出方向に移動するとともに、記録済の記録媒体を積載する排紙トレイと、
を有することを特徴とする記録装置。
【請求項２】
前記排紙トレイを引き出した状態で、該排紙トレイを上方に揺動可能に保持する排紙トレイ保持部を設けることを特徴とする請求項１に記載の記録装置。
【請求項３】
前記排紙トレイ保持部が前記排紙トレイの全幅にわたって設けられていることを特徴とする請求項１又は２に記載の記録装置。
【請求項４】
前記給紙トレイを回転可能に支持する軸支部と前記排紙トレイ保持部の取り付け部とは共通の部材に設けられることを特徴とする請求項１〜３のいずれか１項に記載の記録装置。
【請求項５】
前記記録手段がインクを吐出して記録するインクジェット記録手段であり、前記記録手段から吸引されたインクを吸収保持するためのインク吸収体を記録領域及び記録媒体搬送部を除いた位置に配置することを特徴とする請求項１〜４のいずれか１項に記載の記録装置。
【請求項６】
前記記録手段がインクを吐出して記録するインクジェット記録手段であり、前記記録手段からインクを吸引するための吸引手段を記録手段の移動範囲の下部を除く位置に配置することを特徴とする請求項１〜５のいずれか１項に記載の記録装置。
【発明の詳細な説明】
【技術分野】
【０００１】
本発明は、装置の一方の面より記録媒体を給送し、記録済の記録媒体を前記一方の面より排出する記録装置にに関する。
【背景技術】
【０００２】
記録手段（記録ヘッド）からインクを吐出して記録を行うインクジェット記録装置は、記録動作時の騒音が比較的小さく、しかも微細なドットを高密度で形成できるため、カラー記録を含めた多くの記録に使用されている。特に記録密度の一層の向上やより微細なカラー記録を可能にするため、キャリッジにブラックインク用記録手段とカラーインク用記録手段とを着脱可能に搭載したもの、あるいは、ブラックインク用とカラーインク用が一体に構成された記録手段を着脱可能に搭載したものが実用化されている。これらの記録装置の一形態として、記録媒体を記録装置前面から給送するとともに記録装置背面で反転させて再び記録装置前面へ排出するように構成されたＵターン搬送路を有するものがある。これに対して、記録媒体を記録装置背面上部から給送し記録された記録媒体を記録装置前面へ搬送して排出するように構成されたいわゆるＪパス搬送路を有するものもある。
【０００３】
これら２種類の搬送路のうちＵターン搬送路を有する記録装置は、Ｊパス搬送路を有する記録装置に比べて、記録媒体に記録するために記録装置が必要とするスペースが少なくて済むという利点がある。また、Ｊパス搬送路を有する記録装置は、Ｕターン搬送路を有する記録装置に比べて、搬送中の記録媒体の変形が少ないので、例えば厚さのある記録媒体に記録する場合でも記録媒体の変形が少なくて済むため、様々な記録媒体に対して高品位の記録を実現できるという利点がある。一方、Ｕターン搬送路を有する記録装置においては、記録媒体を積層保持する給紙トレイが固定式で、記録部で記録された記録媒体を積層保持する排紙トレイが固定式もしくは給紙トレイの上蓋を兼ねた構成のものがある。また、給紙トレイ及び排紙トレイともに回転式のものもある。
【特許文献１】特開２００３−４０５０５号公報
【発明の開示】
【発明が解決しようとする課題】
【０００４】
しかしながら、給紙トレイが固定式のものでは、記録装置を使用していないときでも、使用しているときと同じスペースを必要とするという不都合がある。これに対し、給紙トレイ及び排紙トレイとも回転式の記録装置では、使用していないときには使用しているときよりも記録装置が必要とするスペースを小さくすることができるが、２つのトレイを回転収納するためのスペースが必要であるため、記録装置自体の奥行きサイズが大きくなるという不都合がある。
【０００５】
本発明はこのような技術的課題に鑑みてなされたものであり、本発明の目的は、使用しないときの装置サイズを使用しているときの装置サイズより小さくすることができ、かつ、給紙トレイ及び排紙トレイを回転収納式にする場合より装置の奥行きサイズを小さくすることができる記録装置を提供することである。
【課題を解決するための手段】
【０００６】
本発明は、上記目的を達成するため、装置の一方の面より記録媒体を給送し、記録済の記録媒体を前記一方の面より排出する記録装置において、使用状態と収納状態との間を回動して移動するとともに、記録媒体を積載する給紙トレイと、使用状態と収納状態との間を記録媒体の排出方向に移動するとともに、記録済の記録媒体を積載する排紙トレイと、を有することを特徴とする。
【発明の効果】
【０００７】
本発明によれば、使用しないときの装置サイズを使用しているときの装置サイズより小さくすることができ、かつ、給紙トレイ及び排紙トレイを回転収納式にする場合より装置の奥行きサイズを小さくすることができる記録装置が提供される。
【発明を実施するための最良の形態】
【０００８】
以下、図面を参照して本発明の実施形態を具体的に説明する。なお、各図面を通して同一符号は同一又は対応部分を示すものである。図１は本発明の一実施形態に係る記録装置の使用しているときの状態を示す模式的斜視図であり、図２は図１の記録装置の右後方に配置された吸引ポンプ及びインク吸収体を示す模式的斜視図であり、図３は図１の記録装置において排紙トレイが記録部の下部に収納されたときの状態を示す模式的斜視図である。本実施形態に係る記録装置は、装置の一方の面より記録媒体を給送し、記録済の記録媒体を前記一方の面より排出する形態を有する。また、本実施形態においては、記録装置が、記録手段として、記録媒体へインクを吐出して記録を行うインクジェット記録手段を用いるインクジェット記録装置である場合を例に挙げて説明する。
【０００９】
図示の記録装置は、用紙やプラスチック薄板等の記録媒体４に記録するための記録手段（記録ヘッド）２と、記録媒体４の給紙及び排紙を記録装置の同じ側（図示の例では前面側）から行うように該記録媒体を折り返し搬送するＵターン搬送路と、を備えている。また、本実施形態においては、装置本体に対し左右方向（主走査方向）に往復移動可能なキャリッジ３に搭載された記録ヘッド２によって記録するシリアルスキャン式の記録装置の場合が例示されている。図１において、記録装置本体のベース部１にはシャーシ８が保持されており、該シャーシ８には左右方向に配置されたガイドシャフト２１が設置されており、前記シャーシ８と一体に前記ガイドシャフト２１と平行なガイドレール２２が形成されている。記録ヘッド２を搭載したキャリッジ３は、ガイドシャフト２１及びガイドレール２２によって往復移動可能に案内支持されている。
【００１０】
前記ベース部１には、記録媒体を１枚ずつ分離して記録部へ搬送し、さらに記録された記録媒体を搬送して同じ側から排出するＵターン搬送路を有する搬送部５が保持されている。さらに、前記ベース部１には、記録ヘッド２のインク吐出性能を正常な状態に回復維持するための回復機構部（メンテナンス部）７が保持されている。この回復機構部７は、記録ヘッド２の吐出口をキャッピングしてキャップ内に負圧を発生させることにより吐出口からインクを吸引する吸引ポンプ６を備えている。
【００１１】
また、記録装置の右側後方の部位には、該記録装置の記録動作を制御するための制御基板９が配置されている。本実施形態では、制御基板９は搬送部５の右側面に固定されている。さらに、ベース部１の装置前方下部には、記録媒体４を積層保持する給紙トレイ１１が配設されている。この給紙トレイ１１はベース部１に対して回転可能に軸支されている。図２において、吸引ポンプ６はシャーシ８の装置背面側で搬送部５の右側（図２では左側）に配置されており、キャリッジ３の高さに影響を及ぼさない配置となっており、装置本体の高さを低くすることに寄与する構成となっている。また、制御基板９の右側（図２では左側）には、吸引ポンプ６により記録ヘッド２から吸引されたインクを回収し保持するためのインク吸収体１０が配置されており、この位置にインク吸収体１０を配置することで装置本体の高さを低くすることができる。
【００１２】
図３において、給紙トレイ１１には、記録媒体４の後端を規制するための後端規制部１２が記録媒体搬送方向（矢印Ａ方向）に移動可能に装着されている。この後端規制部１２により記録媒体４の位置が一定に保持されることで、給紙トレイ１１に積層保持された記録媒体４の最上位の１枚のみを記録部であるプラテン１３上に給送することが可能になる。制御基板９から送られてくる記録指令信号に基づいて、給紙トレイ１１に積層保持されている記録媒体４の最上位の１枚が給紙部２０（その給紙ローラ）及び搬送部５（その搬送ローラ２３及びピンチローラ２４）によってプラテン１３上の記録部まで給送される。記録媒体４がプラテン１３まで搬送されると、キャリッジ３が記録媒体搬送方向と交差する方向（矢印Ｂ方向）に往復移動するとともに、該プラテン１３上方でキャリッジ３に搭載された記録ヘッド２から記録情報に応じてインクを吐出することにより、記録媒体４の表面に画像が記録される。
【００１３】
このようにして記録された記録媒体４は、搬送ローラ２３と同期駆動される排紙ローラ２５及び拍車２６によって排出され、図１中に示す排紙トレイ１４、１５上に排出され保持される。本実施形態における排紙トレイは、記録装置に取り付けられる側の基部排紙トレイ１４と該基部排紙トレイ１４に対して引き出し収納可能な延長排紙トレイ１５とから成る伸縮可能な構造になっている。また、引き出されて伸長された排紙トレイ１４、１５上には複数枚の記録された記録媒体４を積層保持することができる。
【００１４】
図４は排紙トレイ１４、１５の使用状態（伸長状態）を示す模式的平面図であり、図５は排紙トレイ１４、１５の収納状態（短縮状態）を示す模式的平面図である。図４に示すように、先端側の延長排紙トレイ１５の幅Ｄは、取り付け側の基部排紙トレイ１４の幅Ｃより若干小さく、図５に示すように延長排紙トレイ１５は基部排紙トレイ１４の内部に収納可能となっている。この収納状態から延長排紙トレイ１５を基部排紙トレイ１４から引き出し可能なように、基部排紙トレイ１４の一部は幅方向に切り欠かれている。
【００１５】
これにより、使用時には記録された記録媒体４を積層保持するために必要なトレイ長さを保ちつつ、非使用時である収納時には使用時に対して約半分の長さとなるため、装置本体内の排紙トレイ１４、１５を収納するための空間の長さを短くすることができ、その分装置本体の奥行き寸法を小さくすることができる。さらに、排紙トレイ１４、１５の高さと幅は、必要な剛性を保ちながら、最小の寸法に選定されており、装置本体の高さを低くするとともに装置本体の幅を小さくすることに寄与している。
【００１６】
図６は本発明の一実施形態に係る記録装置において給紙トレイ１１と排紙トレイ１４、１５が共に収納された非使用状態を示す部分縦断面図であり、図７は図６の記録装置において排紙トレイ１４、１５が使用されているときの状態であって一部部品を外した状態を装置の下側から見た模式的斜視図である。図６において、給紙トレイ１１は記録装置のベース部１に設けられた軸１０１を回転中心として軸受部１１１により回転可能に保持されている。この給紙トレイ１１は、使用されるときには略水平な記録媒体積載可能な姿勢（開いた姿勢）で位置決め保持される。ベース部１には、給紙トレイ１１を開いたときにその姿勢を保持するためのストッパ部１０２が設けられている。また、給紙トレイ１１は、使用されないときには回転させて図６に示すように略垂直な姿勢（折り畳んだ姿勢）にし、その位置に保持機構によって位置決め状態で保持されている。前記軸１０１及び前記ストッパ部１０２は、それぞれ、装置幅方向の２箇所ずつに設けられている。
【００１７】
記録装置前方の内部、すなわち本実施形態ではプラテン１３、搬送ローラあるいは排紙ローラ２５の下側の部位には、排紙トレイ１４、１５を保持するとともに給紙トレイ１１に記録媒体４をセットする際のガイドとなる排紙トレイ保持部１６が設けられている。そして、使用しない状態では、排紙トレイ１４、１５は、図６に示すように、重ね合わせた状態で排紙トレイ保持部１６上に略水平方向に移動させて挿入した状態で収納されている。
また、前記排紙トレイ保持部１６の下側には、使用状態で記録前の記録媒体４を給紙トレイ１１と共に積層保持するための給紙ガイド１７が設けられている。つまり、記録前の積層状態の記録媒体４は、その前方の部分を給紙ガイド１７によって保持されるとともに、その後方の部分を給紙トレイ１１によって保持される。
【００１８】
図６に示すように、給紙トレイ１１は回転させて折り畳み状態で収納し、排紙トレイ１４、１５は記録装置内部に移動させて収納することにより、使用しないときの装置サイズが使用状態のサイズより小さくなるように構成されている。
さらに、給紙トレイ１１、プラテン１３及び排紙トレイ保持部１６は、全てがベース部１に取り付けられている。
図７に示すように、排紙トレイ保持部１６は排紙トレイ１４、１５の幅より広い幅であり、ベース部１に対して左右２箇所でビスで固定されている。そのため、記録媒体４を給紙トレイ１１にセットする際に、記録媒体のほぼ全幅にわたりガイド（案内）することができ、不用意に記録媒体をセットしたとしても、記録媒体の先端部折れ等を防止することができる。
【００１９】
図８は給紙トレイ及び排紙トレイが使用状態であるときの記録装置の部分縦断面図である。この状態で基端側の排紙トレイ１４は上面をベース部１の一部により、下面を排紙トレイ保持部１６の一部により挟まれ、自重によりその姿勢を保持している。また、給紙トレイ１１はベース部１のストッパ１０２により姿勢を保持している。
図９は給紙トレイ及び排紙トレイが使用状態でかつ記録媒体を給紙トレイにセットするときの記録装置の部分縦断面図である。図９に示すように、先端側の排紙トレイ１５を自重に逆らって矢印Ｅ方向に移動させることにより給紙トレイ１１と排紙トレイ１４、１５の間のスペースを広くすることができ、矢印Ｆ方向に記録媒体４をセットするときの作業が容易になる。
【００２０】
以上説明した実施形態は、装置の一方の面より記録媒体４を給送し、記録済の記録媒体を前記一方の面より排出する記録装置に係るものであり、その特徴的な構成は、使用状態と収納状態との間を回動して移動するとともに、記録媒体を積載する給紙トレイ１１と、使用状態と収納状態との間を記録媒体の排出方向に移動するとともに、記録済の記録媒体を積載する排紙トレイ１４、１５と、を有する点にある。かかる構成によれば、使用しないときの装置サイズを使用しているときの装置サイズより小さくすることができ、かつ、給紙トレイ及び排紙トレイを回転収納式にする場合より装置の奥行きサイズを小さくすることができる。
【００２１】
また、以上の実施形態では、記録手段２により記録媒体４に記録する記録領域の下で記録装置の前後方向に移動することで引き出し収納可能に保持された、記録された記録媒体を積層保持するための排紙トレイ１４、１５と、記録装置に使用位置と収納位置の間で回転可能に軸支された、記録前の記録媒体４の一部を積層保持するための給紙トレイ１１と、収納された排紙トレイ１４、１５の下側で記録前の記録媒体４の給紙トレイ１１によって積層保持される部分とは別の部分を積層保持するための給紙ガイド１７と、を有している。かかる構成によれば、さらに、排紙トレイ１４、１５を記録領域の下部に移動させて収納することで、装置の奥行きサイズをさらに小さくすることが可能になる。
【００２２】
また、排紙トレイ１４、１５を引き出した状態で、該排紙トレイを上方に揺動可能に保持する排紙トレイ保持部１６を設けることにより、記録前の記録媒体４を給紙トレイ１１にセットする際に排紙トレイ１４、１５を上方に揺動させて給紙トレイ１１の上部空間を広げることで、記録媒体４のセット作業の容易化が図られている。さらに、排紙トレイ保持部１６が排紙トレイ１４、１５の全幅にわたって設けられているので、記録前の記録媒体４をセットする際の上ガイドの機能が付加され、不用意に記録媒体をセットする場合でも先端部折れ等の不都合を無くすことができる。
【００２３】
また、給紙トレイ１１を回転可能に支持する軸支部１０１、１１１と排紙トレイ保持部１６の取り付け部とを共通の部材（ベース部１）に設けるので、給紙トレイ１１及び排紙トレイ１４、１５の取り付け精度を向上させることで、記録精度を向上させることが可能となる。さらに、記録手段２がインクを吐出して記録するインクジェット記録手段であり、記録手段から吸引されたインクを吸収保持するためのインク吸収体１０を記録領域及び記録媒体搬送部５を除いた位置に配置することにより、装置高さの抑制の容易化が図られている。記録手段２からインクを吸引するための吸引手段６を該記録手段の移動範囲の下部を除く位置に配置することによっても、装置高さ抑制の容易化が図られている。
【００２４】
なお、上述の実施形態においては、被記録材としての記録シートに対して記録手段を相対移動（主走査）させながら記録するシリアル記録方式の記録装置の場合を例に挙げて説明したが、本発明は、被記録材の全幅又は一部をカバーする長さのラインタイプの記録手段を用いて副走査のみで記録するライン記録方式の記録装置の場合にも同様に適用することができ、同様の作用効果を奏するものである。また、本発明は、１個の記録手段を用いる記録装置、異なる色のインクで記録する複数の記録手段を用いるカラー記録装置、あるいは同一色彩で異なる濃度で記録する複数の記録手段を用いる階調記録装置、さらには、これらを組み合わせた記録装置の場合にも、同様に適用することができ、同様の効果を達成し得るものである。
【００２５】
さらに、本発明は、インクジェット記録装置に適用する場合、記録手段とインクタンクを一体化した交換可能なインクカートリッジを用いる構成、記録手段とインクタンクを別体にし、その間をインク供給用チューブ等で接続する構成など、記録手段とインクタンクの配置構成がどのような場合にも同様に適用することができ、同様の効果が得られるものである。なお、本発明は、インクジェット記録装置に適用する場合、例えば、ピエゾ素子等の電気機械変換体等を用いる記録手段を使用するものである場合にも適用できるが、中でも、熱エネルギーを利用してインクを吐出する方式の記録手段を使用するインクジェット記録装置において優れた効果をもたらすものである。
【図面の簡単な説明】
【００２６】
【図１】本発明の一実施形態に係る記録装置の使用しているときの状態を示す模式的斜視図である。
【図２】図１の記録装置の右後方に配置された吸引手段及びインク吸収体を示す模式的斜視図である。
【図３】図１の記録装置において排紙トレイが記録領域の下部に収納されたときの状態を示す模式的斜視図である。
【図４】図１中の排紙トレイの使用状態を示す模式的平面図である。
【図５】図１中の排紙トレイの収納状態を示す模式的平面図である。
【図６】給紙トレイ及び排紙トレイが共に収納されて使用されないときの記録装置の部分縦断面図である。
【図７】排紙トレイが使用状態で一部部品を外した状態の記録装置を下から見た斜視図である。
【図８】給紙トレイ及び排紙トレイが使用状態であるときの記録装置の部分縦断面図である。
【図９】給紙トレイと排紙トレイが使用状態でかつ記録媒体を給紙トレイにセットするときの状態を示す記録装置の部分縦断面図である。
【符号の説明】
【００２７】
１      ベース部
２      記録手段（記録ヘッド）
３      キャリッジ
４      記録媒体（記録用紙等）
５      搬送部（記録媒体搬送部、Ｕターン搬送路）
６      吸引ポンプ
７      回復機構部（メンテナンス部）
８      シャーシ
９      制御基板
１０    インク吸収体
１１    給紙トレイ
１２    後端規制板
１３    プラテン
１４    排紙トレイ（基部排紙トレイ）
１５    排紙トレイ（延長排紙トレイ）
１６    排紙トレイ保持部
１７    給紙ガイド
１０１  軸
１０２  ストッパ部
１１１  軸受部
【図１】
2005350249.tif 000003
【図２】
2005350249.tif 000004
【図３】
2005350249.tif 000005
【図４】
2005350249.tif 000006
【図５】
2005350249.tif 000007
【図６】
2005350249.tif 000008
【図７】
2005350249.tif 000009
【図８】
2005350249.tif 000010
【図９】
2005350249.tif 000011